(57)【要約】【課題】肘掛けを備えて椅子において、肘掛けによる荷重の支持強度及び美観に優れた形態を実現する。【解決手段】椅子は、背もたれの左右両側に位置した左右の背支柱７を備えており、背もたれは、その下部が背支柱７に連結されている。肘掛け９は上下長手の基部９ａを有しており、基部９ａに、背支柱７に横から嵌まり込む凹部３８が形成されている。肘掛け９は、その基部９ａが、手前から挿通されたビス３９によって背支柱７に固定されている。肘掛け９に作用した荷重は背支柱７に対して前向きの曲げ力としてしか作用しないことと、背支柱７と肘掛けと９とが嵌まり合っていることとにより、スリムであっても高い支持強度を確保できる。ビス３９の取付け穴４１はアーム部９ｂの影になって視認し難いため、美観にも優れている。【選択図】図６
2020018572.tif 000002
【特許請求の範囲】
【請求項１】
背もたれの左右両側方に立設した背支柱に肘掛けを固定している構成であって、
前記肘掛けと背支柱とのうちいずれか一方又は両方に、互いに嵌まり合うための嵌合部を設けて、前記肘掛けをビスで前記背支柱に固定している、
椅子。
【請求項２】
前記肘掛けは、左右方向の外側から移動させて前記背支柱に嵌合させるようになっていて、前記背支柱の前後両面と上面と外面とを覆うようになっており、このため、前記肘掛けには、前記嵌合部として、前記背支柱に向けて横向きに開口した凹部が形成されており、前記凹部を挟んで手前又は後ろ若しくは前後両側の部位が、ビスで前記背支柱に固定されている、
請求項１に記載した椅子。
【請求項３】
前記肘掛けは、前記背支柱に重なる上下長手の基部と、前記基部から手前に延びる上下のアーム部と、前記上下のアーム部の前端に繋がった先端連結部とを有するループ形状になっており、前記基部が、当該基部に前方から挿通されたビスによって前記背支柱に固定されている、
請求項２に記載した椅子。
【請求項４】
前記背支柱の上端部に、少なくとも左右方向の外側に開口した溝が形成されている一方、
前記肘掛けにおける凹部の上端部に、前記背支柱の溝に横から入り込むリブを形成している、
請求項２又は３に記載した椅子。
【請求項５】
前記背支柱に形成した前向き開口の溝は、前記背もたれを背支柱に対して後傾動可能に連結するための枢支ピンが落とし込まれる軸受け溝である、
請求項４に記載した椅子。
【請求項６】
前記肘掛けのうち前記背支柱の左右外面に重なっている部分の下端は、前記背支柱に形成した段部に重なっており、前記肘掛けの下端と背支柱の段部とは、手前に向けて低くなるように傾斜している、
請求項２〜５のうちのいずれかに記載した椅子。
【発明の詳細な説明】
【技術分野】
【０００１】
本願発明は、肘掛けを備えた椅子に関するものである。
【背景技術】
【０００２】
椅子において、肘掛けはオプション品になっていることが多い。すなわち、肘掛け付きの椅子と肘掛け無しの椅子とを用意して、ユーザーが選択して購入できるようになっていることが多い。従って、椅子は、肘掛けが取り付かない構造を基準として、肘掛けをビス（ボルト）で固定するようにしている。
【０００３】
肘掛けの取付け位置や取付け構造は様々であり、例えば特許文献１には、ベースに後傾動自在に連結された背もたれ支持杆に背もたれを取付けたロッキング椅子において、背もたれ支持杆の外側面に、左右長手のボルトによって肘掛けを固定することが開示されている。
【先行技術文献】
【特許文献】
【０００４】
【特許文献１】特開２００７−３２５６９６号公報
【発明の概要】
【発明が解決しようとする課題】
【０００５】
特許文献１において、背もたれ支持杆は座の下方の空間のうち内側に寄っているため、肘掛けは、背もたれ支持杆から横向きに延びる水平状部と、水平状部の先端から上向きに延びる起立部とを有しており、起立部に肘当てが高さ調節可能に取付けられている。
【０００６】
従って、肘掛けは、使用者が手をつくことによる下向きの荷重により、背もたれ支持杆を支点にして下向き回動するようなモーメントを受けることになり、このため、背もたれ支持杆には、その軸心回りに捩じるような外力が作用する。このため、背もたれ支持杆は、強度を確保するために頑丈な構造にせねばならず、設計が面倒である。
【０００７】
他方、左右の背支柱の間に背もたれを配置して、背もたれを左右の背支柱に取り付けているタイプの椅子があり、このタイプの椅子では、背支柱に肘掛けを固定すると、背支柱には前倒れさせる外力が作用するだけであるため、特許文献１のような構造に比べて背支柱に対する負担は軽くなる。
【０００８】
本願発明はこのような知見に基づいて成されたものであり、背もたれの左右両側に背支柱を配置したタイプの椅子において、その特徴を利用して肘掛けを簡単かつ強固・美麗に取付けできるようにすること等を課題とするものである。
【課題を解決するための手段】
【０００９】
本願発明は様々な構成を含んでおり、その典型を各請求項で特定している。このうち請求項１の発明は、
「背もたれの左右両側方に立設した背支柱に肘掛けを固定している構成であって、
前記肘掛けと背支柱とのうちいずれか一方又は両方に、互いに嵌まり合うための嵌合部を設けて、前記肘掛けをビスで前記背支柱に固定している」
という構成になっている。
【００１０】
請求項２の発明は請求項１を好適に展開したものであり、
「前記肘掛けは、左右方向の外側から移動させて前記背支柱に嵌合させるようになっていて、前記背支柱の前後両面と上面と外面とを覆うようになっており、このため、前記肘掛けには、前記嵌合部として、前記背支柱に向けて横向きに開口した凹部が形成されており、前記凹部を挟んで手前又は後ろ若しくは前後両側の部位が、ビスで前記背支柱に固定されている」
という構成になっている。
【００１１】
更に、請求項２の好適な具体例として、請求項３では、
「前記肘掛けは、前記背支柱に重なる上下長手の基部と、前記基部から手前に延びる上下のアーム部と、前記上下のアーム部の前端に繋がった先端連結部とを有するループ形状になっており、前記基部が、前記上下アームの間の部位と下アーム部の下方部位とにおいてビスで前記背支柱に固定されている」
という構成になっている。
【００１２】
請求項４の発明は、請求項２又は３において、
「前記背支柱の上端部に、少なくとも左右方向の外側に開口した溝が形成されている一方、
前記肘掛けにおける凹部の上端部に、前記背支柱の溝に横から入り込むリブを形成している」
という構成になっている。
【００１３】
請求項５の発明は、請求項４において、
「前記背支柱に形成した前向き開口の溝は、前記背もたれを背支柱に対して後傾動可能に連結するための枢支ピンが落とし込まれる軸受け溝である」
という構成になっている。
【００１４】
請求項６の発明は、請求項２〜５のうちのいずれかにおいて、
「前記肘掛けのうち前記背支柱の左右外面に重なっている部分の下端は、前記背支柱に形成した段部に重なっており、前記肘掛けの下端と背支柱の段部とは、手前に向けて低くなるように傾斜している」
という構成になっている。
【発明の効果】
【００１５】
本願発明において、左右の背支柱は背もたれの左右両側に位置しているため、肘掛けに作用した下向きの荷重は、背支柱に対しては、単に前倒れさせるような曲げ力として作用するに過ぎない。このため、過度に頑丈な構造にすることなく、必要な強度を確保できる。換言すると、背支柱は、できるだけスリム化してすっきりさせつつ、肘掛けを、必要な支持強度が保持された状態に取付けることができる。
【００１６】
更に、背支柱と肘掛けとは互いに嵌合しているため、肘掛けと背支柱との一体性を高めて、肘掛けの取付け強度（支持強度）を向上に貢献している。
【００１７】
肘掛けと背支柱との嵌合態様としては、例えば、肘掛けの基部を下向きに開口した筒状に形成し、これを背支柱に上から嵌め込む構造や、背支柱に左右方向の外向きに開口して嵌合溝を形成して、この嵌合溝に肘掛けの基部を横から嵌め込むといった構造も採用できるが、前者の態様では、背支柱は背もたれとの取付け部から上に延出しなければならないため、コンパクト性に欠けたり美観が悪化したりする問題があり、後者の態様では、背支柱を相当に太くせねばならず、スリム化が難しいといった問題がある。
【００１８】
これに対して請求項２のように、肘掛けに、嵌合部として横向き（背もたれに方向に向いた内向き）の凹部を形成してこれを背支柱に横から嵌め込むと、背支柱の高さを高くことなく肘掛けを取付けできるため、コンパクトで美観も優れたものとすることができる。また、肘掛けの基部は樋状になっていて薄肉でも高い強度を確保できるため（特に、天板の存在によって強度が格段に高くなる）、肘掛けの基部が大型化して美観が低下するといった問題もない。従って、現実性に優れている。更に、ビスは前後方向からねじ込むものであるため、作業性にも優れている。
【００１９】
請求項３の構成では、ビスの頭と取付け穴とはアーム部の下方に隠れるため、ビスの頭又は取付け穴が人目に触れて美観が悪化するという問題を防止できる。従って、美観の悪化を招来することなく、肘掛けを背支柱にビス止めすることができる。
【００２０】
肘掛けのアーム部に下向きの荷重が掛かると、肘掛けは、下向き回動させるようなモーメントにより、基部の上端を背支柱から手前に引き離そうとする作用を受ける。この点について、請求項４の構成を採用すると、背支柱に形成した溝と肘掛けに形成したリブとが嵌合していることにより、肘掛けの前倒れに対して非常に高い抵抗が発揮される。従って、肘掛けや背支柱をできるだけスリム化しつつ、肘掛けに高い支持強度を保持させることができる。
【００２１】
背支柱の溝は、肘掛けの前倒れに対する抵抗増大のためだけに設けることも可能であるが、請求項５のように、枢支ピンの取付けのための軸受け溝を利用すると、構造を複雑にすることなく、肘掛けの支持強度を向上させることができる利点がある。
【００２２】
肘掛けのアーム部に作用した下向きの荷重は、基部の下端を背支柱に押し付けるようにも作用する。従って、肘掛けの基部の下端と背支柱とは、できるだけ広い面積で当接しているのが好ましい。この点、請求項６の発明では、肘掛けにおける基部の下端と背支柱の段部とが傾斜しているため、段部が水平である場合に比べて、肘掛けの下端を背支柱の段部で広い範囲で当てることができる。その結果、肘掛けに作用する負担を軽減して、支持強度の向上に貢献できる。
【図面の簡単な説明】
【００２３】
【図１】実施形態の外観図で、（Ａ）は肘掛けを設けた状態での斜視図、（Ｂ）は肘掛けを設けていない状態での斜視図、（Ｃ）は背面斜視図、（Ｄ）は座を分離した状態の斜視図である。
【図２】（Ａ）は平面図、（Ｂ）は側面図、（Ｃ）は正面図、（Ｄ）は背面図である。
【図３】（Ａ）は背もたれの一部破断斜視図、（Ｂ）は表皮材を省略して背もたれを後ろから見た一部破断斜視図、（Ｃ）は背もたれの部分的な分離側面図である。
【図４】背もたれの連結構造を示す図で、（Ａ）は前から見た分離斜視図、（Ｂ）は背用傾動ユニットの分離斜視図である。
【図５】（Ａ）は背もたれの連結手段を示す分離斜視図、（Ｂ）（Ｃ）は、背支柱とカバーとの関係を示す分離斜視図である。
【図６】（Ａ）は肘掛けを取付けた状態の斜視図、（Ｂ）は肘掛けを分離した状態の斜視図である。
【図７】（Ａ）は肘掛けを分離した状態での斜め後方からの斜視図、（Ｂ）は肘掛けを分離した状態での斜め前方からの斜視図である。
【発明を実施するための形態】
【００２４】
(1).概要
次に、本願発明の実施形態を説明する。本願発明は、オフィス等で使用されている回転椅子に適用している。まず、図１，２を参照して、椅子の概要を説明する。椅子は、座１と背もたれ２と脚装置３とを備えている。脚装置３は、５本の枝杆とガスシリンダよりなる脚支柱４とを備えており、各枝杆の先端にキャスタを設けている一方、脚支柱４の上端にベース（図示せず）を嵌着している。脚支柱４は、座１の前後中間点よりも少し後ろに配置されている。
【００２５】
図示していないが、ベースは平面視四角形（横長長方形) のブロック状の形態であり、ベースに、左右のフロントフレーム（座支柱）６と左右の背支柱（リアフレーム）７とを固定して、フロントフレーム６に座１を前後傾動可能に取付けて、背支柱７の上端部に背もたれ２を後傾動可能に取り付けている。
【００２６】
図１（Ｄ）に示すように、フロントフレーム６の上端には前後長手の受け部８が形成されており、座１は、この受け部８に後傾動可能に連結されている。図１（Ａ）、図２（Ｃ）に示すように、背支柱７の上端部には、オプション品として肘掛け９を取り付けることができる。この肘掛け９の取付け構造に本願発明が具体化されている。
【００２７】
図２（Ｂ）（Ｃ）に明示するように、左右の背支柱７は、側面視では上に行くに従って前にずれるように傾斜しており、正面視では、上に行くに従って互いの間隔が広がるように傾斜している。
【００２８】
背支柱７は、図２（Ｂ）に明示するように、側面視では、ベース５から後傾姿勢で立ち上がって、概ね座１の高さ位置で前傾姿勢に変わるように屈曲したく字形になっており、正面視では、図２（Ｄ）に明示するように、概ね座１の高さまでは上に向けて外広がりに傾斜して、概ね座１よりも上の範囲ではほぼ直立している。
【００２９】
背支柱７の上部は背もたれ２の下部の左右外側に位置しており、背もたれ２は、その下部を支点にして後傾動するように背支柱７の上端部に取付けられている。従って、図２（Ｂ）に示すように、背もたれ２の回動支点Ｏ１（回動中心）は背もたれ２の肉厚部内に位置している。図２（Ｂ）に示すように、座１の回動支点Ｏ２も、座１の肉厚部内に位置している。
【００３０】
フロントフレーム６及び背支柱７の下半部は、図１（Ｄ）に示すように、いわば対角方向に向けて広がるように、正面視及び側面視で傾斜している。換言すると、フロントフレーム６と背支柱７とは、平面視四角形のベース５のコーナー部から略対角方向に傾斜姿勢で立ち上がっている。更に換言すると、４本のフレーム６，７が、座１の下方においてベース５に向けて収束するような外観を呈している。
【００３１】
左右のフロントフレーム６はアルミダイキャスト品又は樹脂成型品であり、平面視略角形（横長長方形）のフロント基体６ａが一体に形成されている。他方、左右の背支柱７は互いに分離しており、それぞれ平面視略四角形のリア基体７ａが一体に形成されている。そして、左右のリア基体７ａは左右に連続するように重なって、左右のリア基体７ａとフロント基体６ａとは前後に重なるように重なっている。
【００３２】
従って、フロント基体６ａと左右のリア基体７ａとの三者は全体として１つの部材を成すかのように重なっており、この三者によってベースがすっぽりと覆われている。従って、２本のフロントフレーム６と２本の背支柱７とは、平面視略四角形の基部から対角方向に傾斜姿勢で立ち上がったような外観を呈しており、ベースは、椅子をひっくり返さないと視認できない状態になっている。
【００３３】
(2).背もたれの取付け構造
次に、背支柱７に対する背もたれ２の取付け構造を、図３〜５を参照して説明する。図３（Ａ）に示すように、背もたれ２は、樹脂製の背インナーシェル１０の前面に背クッション１１を重ね配置した構造であり、背インナーシェル１０の左右側部が、背用傾動ユニット１２を介して背支柱７の上端部に後傾動可能に取付けられている。背クッション１１は、クロス等の表皮材で覆われている。また、背インナーシェル１０の背面も表皮材で覆われている。従って、表皮材は袋状に形成されている。
【００３４】
例えば図４に示すように、背用傾動ユニット１２は、背インナーシェル１０と一体に動くアウターブラケット１３と、アウターブラケット１３の内部に配置されていて背支柱７に固定されたインナーブラケット１４と、アウターブラケット１３の外側面に重ね配置されたサイドブラケット１５とを備えており、これらは、背インナーシェル１０の曲がりに合わせて、側面視で略く字形になっている。
【００３５】
背インナーシェル１０の屈曲部には、アウターブラケット１３が嵌まり込む凹所１６を形成している。サイドブラケット１５の下半部には外向き凸部１５ａが形成されており、図３（Ｃ）に示すように、サイドブラケット１５は、外向き凸部１５ａのみが背インナーシェル１０の外側にはみ出ており、外向き凸部１５ａが、背支柱７の内側面に当接又は密接している。
【００３６】
アウターブラケット１３とインナーブラケット１４とは、左右横長の枢支ピン１７によって連結されており、かつ、アウターブラケット１３とインナーブラケット１４との間には、枢支ピン１７よりも上の位置においてばね（図示せず）が配置されている。図４（Ｂ）に示すように、アウターブラケット１３とインナーブラケット１４とには、ばねを位置決めするバーリング部１９が形成されている。
【００３７】
アウターブラケット１３とインナーブラケット１４とは、それぞれ側板１３ａ，１４ａとを備えている。また、アウターブラケット１３は、前面板１３ｂと後面板１３ｃも有していて全体として筒状に形成されており、インナーブラケット１４は樋状に形成されている。
【００３８】
図３（Ａ）に示すように、背インナーシェル１０の背面のうち屈曲部の箇所には、左右横長の補強板２０が重ね配置されており、図４（Ａ）から理解できるように、補強板２０の端部と、背インナーシェル１０と、アウターブラケット１３の後面板１３ｃの上部及び下部とが、ビス２１で共締めされている。
【００３９】
図３（Ｂ）のとおり、背インナーシェル１０の背面には、補強板２０をずれ不能に保持する凹溝２２が形成されており、補強板２０は、凹溝２２に設けた位置決め突起２３によっても位置決めされている。
【００４０】
補強板２０の左右両端には、アウターブラケット１３の下端まで延びる下向き張り出し部２０ａが形成されており、下向き張り出し部２０ａが、下部のビス２１によって背インナーシェルとアウターブラケット１３とに共締めされている。着座した人が背もたれ２にもたれ掛かると、背もたれ２の下端部には大きなモーメントが掛かるが、補強板２０が存在するため、モーメントに抵抗する強度を確保できる。
【００４１】
例えば図４（Ｂ）に示すように、アウターブラケット１３の後面板１３ｃには、後ろ向きに開口した透かし穴２４が形成されており、ビス２１による締結は、透かし穴２４を挟んだ上と下との上下２か所において行われている。枢支ピン１７は、アウターブラケット１３とインナーブラケット１４とにきっちり挿通している。
【００４２】
また、枢支ピン１７は、サイドブラケット１５における外向き凸部１５ａの外側にはみ出た露出部を備えており、この露出部が、背支柱７に形成した軸受け溝２５に落とし込みによって嵌め込まれている。図５（Ｂ）に示すように、軸受け溝２５は、手前と左右両側とに開口しつつ、下方に入り込んで背もたれ２に向けて内向きに開口した深溝部２５ａを有しており、枢支ピン１７の露出部は深溝部２５ａによって安定的に支持されている。
【００４３】
敢えて述べるまでもないが、背用傾動ユニット１２を先に背インナーシェル１０の凹所１６にセットしておく一方、背支柱７は予め所定の状態に取り付けておいて、枢支ピン１７の露出部を手前から軸受け溝２５に嵌め入れて深溝部２５ａに落とし込むことにより、背もたれ２は、背支柱７の上端部に回動可能に取付けられる。
【００４４】
既述のとおり，枢支ピン１７は、インナーブラケット１４にも貫通している。そして、図４に明示するように、背支柱７のうち軸受け溝２５よりも下方の部位に外側から横向きボルト２６が挿通されていて、横向きボルト２６が、インナーブラケット１４の内側板１４ａにねじ込まれている。
【００４５】
横向きボルト２６は段付きボルトであり、インナーブラケット１４にねじ込みきると、インナーブラケット１４は、アウターブラケット１３の外側板１３ａとの間に僅かのクリアランスを保持した状態で、背支柱７に連結されている。従って、インナーブラケット１４は、アウターブラケット１３の内部に配置されているものの、横向きボルト２６によって前後動不能及び上下動に保持されて背支柱７と一体化しており、結果として、枢支ピン１７も軸受け溝２５から抜け不能に保持されている。また、アウターブラケット１３は、ばね１８を圧縮させて後傾可能になっている。
【００４６】
図４（Ｂ）から理解できるように、サイドブラケット１５の上端部と下端部とには、アウターブラケット１３に向けて突出した上下の係合爪２７が形成されている一方、アウターブラケット１３の外側の側板１３ａには、係合爪２７が係合する係合穴２８を形成している。
【００４７】
従って、サイドブラケット１５は、アウターブラケット１３と一体に回動する。そして、横向きボルト２６はサイドブラケット１５とアウターブラケット１３とに貫通しているので、サイドブラケット１５及びアウターブラケット１３が背もたれ２と一体に回動することを許容するため、サイドブラケット１５とアウターブラケット１３とには、枢支ピン１７を曲率半径の中心とした円弧穴２９が空いている。
【００４８】
(3).上カバー
図１（Ａ）のとおり、背支柱７の上端部に肘掛け９を取り付けることができるが、肘掛け９を取付けない状態では、例えば図５に示すように、背支柱７の上部は上カバー３０で覆われている。上カバー３０の外面はその下方の部位と同一面になっている。従って、例えば図４（Ａ）に明示するように、背支柱７のうち上カバー３０で覆われている上部７ｃは、段部７ｂを介して少し細くなっている。段部７ｂのうち背支柱７の外面に位置した部分は、手前に向けて低くなる（後ろに向けて高くなる）ように傾斜している。
【００４９】
例えば図５に明示するように、上カバー３０は、背支柱７を左右外側から覆うように溝形になっている。すなわち、背支柱７の上部７ｃの前後外面に重なる前後の側板３０ａと、背支柱７の上面に重なる天板３０ｂと、背支柱７の上部７ｃの横向き外面に重なる外板３０ｃとを有しており、内側と下方とに開口している。
【００５０】
そして、例えば図５のとおり、外板３０ｃの内面に、横向きに突出した前後の係合爪３１が固定されている一方、背支柱７の前後両面に、横向き係合爪３１が嵌まり係合する前後の切り開き溝３２を形成している。前後の横向き係合爪３１は、板状のジョイント部３１ａを介して一体に繋がっており、ジョイント部３１ａが、１本の横向きビス３３によって、上カバー３０の外板３０ｃに固定されている。
【００５１】
従って、上カバー３０の外板３０ｃには、横向きビス３３がねじ込まれるボス部３４を形成している。なお、図５（Ｂ）（Ｃ）に示すように、上カバー３０における外板３０ｃの内面には、縦横に延びる多数のリブ（或いは多数の角形凹部）を形成している。他方、背支柱７の上部７ｃに形成した切り開き溝３２のうち背もたれ２に近い端部には、係合爪３１の鉤部が嵌合する係合段部３２ａを形成している。
【００５２】
図５（Ｂ）（Ｃ）のとおり、上カバー３０の内部には、背支柱７の軸受け溝２５に嵌合する第１リブ３６を形成している。また、背支柱７における上部７ｃのうち軸受け溝２５よりも上の部分が、手前側にカットされていて前後厚さが小さくなっていることから、上カバー３０の内部には、背支柱７の上部７ｃのカット部と嵌合する第２リブ３７が形成されており、第１リブ３６と第２リブ３７とは一体に連続している。第１リブ３６が軸受け溝２５に嵌まり込でいることにより、上カバー３０は上向き移動不能に保持されている。
【００５３】
(4).肘掛け及びその取付け構造
次に、肘掛け９とその取付け構造を、図６，７を参照して説明する。肘掛け９は固定式であり、前後に長いループ状になっている。すなわち、肘掛け９は、背支柱７の上部に重なる基部９ａと、これから前向きに突出した上下のアーム部９ｂ，９ｃと、上下のアーム部９ｂ，９ｃの前端に繋がった先端連結部９ｄとで前後長手のループ形状になっている。基部９ａの下端は、下アーム部９ｃの下方に突出した下向き突出部９ｅになっている。
【００５４】
肘掛け９は、合成樹脂製でもよいしアルミダイキャスト製であってもよい。また、上アーム部９ｂの上面に、エラストマー等のクッション層を設けることも可能である。
【００５５】
肘掛け９の基部９ａは、上カバー３０と同様に、左右外側から背支柱７の上部７ｃに嵌め込む（被嵌する）ようになっている。従って、肘掛け９の基部９ａには、背支柱７の上部７ｃが入り込む凹部３８を横向きに開口するように形成している。従って、肘掛け９の基部９ａは天板を有していて、頑丈な構造になっている。また、基部９ａは、これに手前から挿通される上下のビス３９，４０によって、背支柱７の上部７ｃに固定されている。
【００５６】
従って、肘掛け９の基部９ａのうち凹部３８の手前の部位には、ビス３９，４０が挿通する取付け穴４１，４２が前後に貫通して、背支柱７の上部７ｃには、ビス３９，４０がねじ込まれるタップ穴４３が空いている。取付け穴４１，４２には、ビス３９，４０の頭が入り込む座繰り穴を形成している。従って、ビス３９，４０の頭を取付け穴４１，４２から殆ど露出しておらず、美観の問題は生じない。
【００５７】
美観の点について更に補足しておく。人が肘掛け９を見る場合、立った状態で見るにしても、他の椅子に腰掛けた状態で見るにしても、通常は、肘掛け９は人の頭よりも低い位置にあるため、人の視線は肘掛け９に対して斜め下向きに向いている。従って、取付け穴４１，４２は、肘掛け９の前向きアーム部９ｂ，９ｃの影に隠れて殆ど視認できない。
【００５８】
特に、下部の取付け穴４２は、下部のアーム部９ｃと下向き突出部９ｅとの連設部に形成されているため、人は身体を屈めて下方から覗き見ない限り、下部の取付け穴４２を視認することはできない。従って、現実的には、下部の取付け穴４２が人目に触れることは皆無であるといえる。結局、取付け穴４１，４２に起因した美観の悪化は、現実には生じないといえる。
【００５９】
アーム部９ｂ，９ｃと前後に長いため、上部のビス３９を動力式ドライバ工具（レンチ）で回転操作するにおいて、ドライバ工具の配置スペースは十分に確保されている。下部のアーム部９ｂの下方はオープンの空間になっているので、下部のビス４０の回転操作は支障なく行える。従って、肘掛け９の取付け作業は容易に行える。
【００６０】
肘掛け９の凹部３８にも、上カバー３０と同様に、背支柱７の軸受け溝２５に嵌合する第１リブ３６と、背支柱７の上部７ｃのカット部と嵌合する第２リブ３７とが形成されており、第１リブ３６と第２リブ３７とは一体に連続している。第１リブ３６が軸受け溝２５に嵌まり込でいることにより、肘掛け９は上下動不能に保持されている。
【００６１】
肘掛け９に下向きのモーメントが掛かるため、肘掛け９の基部９ａは、その上端を背支柱７から手前に引き離そうとする作用を受けるが、肘掛け９の第１リブ３６が背支柱７の軸受け溝２５に嵌まっているため、肘掛け９に対して下向きモーメントが掛かっても、第１リブ３６が引き離しに対する大きな抵抗として機能する。従って、肘掛け９で支持できる荷重を格段に高めて、高い信頼性を確保することができる。
【００６２】
また、第２リブ３７の箇所は必然的に厚くなっているが、上部の取付け穴４１は第２リブ３７の箇所に設けているため、ビス３９の頭を隠す座繰り穴を上部の取付け穴４１に形成しても、強度低下の問題は生じない。従って、第２リブ３７も、肘掛け９の取付け強度向上に貢献している。
【００６３】
肘掛け９に下向きの荷重が作用すると、基部９ａは、その下端が背支柱７に対して押し付けられるような作用を受ける。そして、本実施形態では、図７に示すように、背支柱７における段部７ｂの側部と、肘掛け９における下端面の側部９ｆとは、手前に向けて低くなるように傾斜しているため、肘掛け９の下端と背支柱７の段部７ｂとが前後方向に広い範囲で当接する。その結果、肘掛け９の下端に対する負担を軽減して、支持強度の向上に貢献できる。
【００６４】
(4).その他
以上、本願発明の実施形態を説明したが、本願発明は、他にも様々に具体化できる。例えば、肘掛けはループ構造である必要はないのであり、略Ｌ字状であってもよい。また、高さ調節できる構造や、アーム部を上向きに跳ね上げできる構造も採用できる。
【００６５】
実施形態では、背支柱は略角柱状になっているが、円形な楕円などの形状も採用可能である。背支柱を円形又は前後長手の楕円形に形成する一方、肘掛けの基部を断面Ｃ形に形成して、肘掛けの基部を背支柱に上から嵌め込むことも可能である。この場合は、基部の中空構造が請求項に記載した嵌合部になる。肘掛けと背支柱との嵌合態様（すなわち嵌合部の具体的構造）としては、肘掛けと背支柱との両方に、互いに嵌まり合う凹部と凸部とを形成することも可能である。
【００６６】
また、本願発明の適用対象は回転椅子には限らず、会議用などに多用されている固定脚式椅子にも適用できる。背もたれ（及び座）の構造も、任意に設定できる。例えば、フレームにメッシュを張った構造も採用できる。また、敢えて述べるまでもないが、本願発明は、背もたれがロッキングしないタイプの椅子にも適用できる。
【産業上の利用可能性】
【００６７】
本願発明は、椅子に具体化できる。従って、産業上利用できる。
【符号の説明】
【００６８】
２  背もたれ
７  背支柱
７ｂ  段部
９  肘掛け
９ａ  基部
９ｂ，９ｃ  アーム部
９ｄ  先端連結部
９ｆ  傾斜した下端面
１０  背インナーシェル
１１  背クッション
１２  背用傾動ユニット
１７  枢支ピン
２５  軸受け溝
３０  上カバー
３６，３７  リブ
３９，４０  ビス
４１，４２  取付け穴（ビス挿通穴）
４３  タップ穴
【図１】
2020018572.tif 000003
【図２】
2020018572.tif 000004
【図３】
2020018572.tif 000005
【図４】
2020018572.tif 000006
【図５】
2020018572.tif 000007
【図６】
2020018572.tif 000008
【図７】
2020018572.tif 000009